(57)【要約】【課題】マンコンベアの踏板の取外し、及び取付作業が容易とするマンコンベアの欄干装置を得る。【解決手段】この発明に係るマンコンベア１の欄干装置３においては、踏板２の側面に立設され、マンコンベア１の全長に亘って設けられるものにおいて、取付部８に設けられ、踏板２に隣接したスカートパネル７と、スカートパネル７の上方に位置し、下端が取付部８に押圧・保持される欄干パネル４とから構成され、スカートパネル７の上端部に、欄干パネル４の下端部が入り込む切欠き部７Ａ及び入り込んだ欄干パネル４の下端部を取付部８に押圧・保持する押圧部７Ｂとを備える。【選択図】図２
2007137660.tif 000002
【特許請求の範囲】
【請求項１】
踏板の側面に立設され、マンコンベアの全長に亘って設けられる欄干装置が、
取付部に設けられ、踏板に隣接したスカートパネルと、
このスカートパネルの上方に位置し、下端が前記取付部に押圧・保持される欄干パネルとから構成され、
前記スカートパネルの上端部に、前記欄干パネルの下端部が入り込む切欠き部及び入り込んだ前記欄干パネルの下端部を前記取付部に押圧・保持する押圧部とを備えていることを特徴とするマンコンベアの欄干装置。
【請求項２】
スカートパネルの押圧部上端には乗客の衣服が引掛らないよう丸みがつけられたことを特徴とする請求項１記載のマンコンベアの欄干装置。
【請求項３】
欄干パネルの取付部への押圧・保持は、スカートパネルに設けられた通し穴と、この通し穴と係合し、前記スカートパネルを前記取付部に固定するサラネジとで構成され、前記通し穴にはザグリが設けられ前記サラネジの頭が突出しないことを特徴とする請求項１または請求項２記載のマンコンベアの欄干装置。
【発明の詳細な説明】
【技術分野】
【０００１】
この発明は、スカートパネル及び欄干パネルを備えたマンコンベアの欄干装置に関する。
【背景技術】
【０００２】
従来のマンコンベアの欄干装置を図１、図３を用いて説明する。図１はマンコンベアの縦断面図、図３は従来のマンコンベアの欄干装置を示す図１のＡ−Ａ断面図である。図において１はマンコンベア、２は無端状に連結され、乗客を乗せて移動するマンコンベア１の多数の踏板、３は踏板２の側面に立設され、マンコンベアの全長に亘って設けられた欄干装置である。欄干装置３の上部には欄干パネル４、欄干パネル４の上部に設けられたガードレール５、及びガードレール５上を摺動し踏板２と同期して移動する手摺６が配設され、また欄干装置３の下部には踏板２の側面に隣接したスカートパネル７が配設されている。ここで欄干装置３の欄干パネル４はステンレス鋼材などの不透明材料等で構成され、これによりマンコンベア１はいわゆる「不透明型」もしくは「パネル型」と呼ばれるものである。
欄干パネル４、及びスカートパネル７の支持構成を説明する。８はマンコンベア１の長手方向全長に延設された上部アングルからなる取付部で、断面がＬ字形状であり、水平な一辺が固定され、立設した他辺が踏板２側を向いて構成されている。ここで上部アングル８の立設した辺の踏板２側にはスカートパネル７上端が係合し、また欄干パネル４の下端が接している。９は上部アングル８の下方に平行に延設され、上部アングル８と同等の形状で構成された下部アングル９である。１０はスカートパネル７の下部に所定間隔でスポット溶接され下部アングル９の立設した辺に差し込まれたブラケットである。このブラケット１０によりスカートパネル７の下部は下部アングル９に押付けられている。
スカートパネル７と上部アングル８の係合構成を説明する。１１はスカートパネル７の上部に施工された通し穴、１２は通し穴１１と同位置となるように上部アングル８にネジ立て施工されたネジ穴、１３はこれら通し穴１１及びネジ穴１２に係合するサラネジである。これによりスカートパネル７はサラネジ１３によって上部アングル８に固定されている。
１４は欄干パネル４の下部とスカートパネル７の上端に設けられた隙間である。１５は踏板２側に突出した断面がコ字形の押え板で、上端が欄干パネル４の下部に接し下部アングル８に押圧・保持する役割を持ち、またコ字下部が垂下した下部がスカートパネル７の上部と重なり、隙間１４を隠すものである。１１Ａは押え板１５の隙間１４上に設けられた通し穴、１２Ａは上部アングル８に通し穴１１Ａと同位置となるようにネジ立てを施工されたネジ穴、１３Ａはこれら通し穴１１Ａ及びネジ穴１２Ａに係合するサラネジである。このサラネジ１３により押え板１４は固定される。ここで押え板１４の突出したコの字形の意味するところは、押え板１４を取付けるサラネジ１３Ａの頭が締付けよっては若干突出することを考慮し、押え板１４の突出をサラネジ１３Ａの頭より高くすることで、サラネジ１３Ａの頭に乗客の衣服が引掛ることを防止するとともに、サラネジ１３Ａの頭を見えにくくして意匠の向上を計るものでもある。
また従来のスカートパネル、押え板、及び欄干パネルの構造としては、スカートパネルの形状を断面形状でほぼＳ型とし、踏板取外し時における押え板と踏板との干渉を避けるようにした構成のものがある（例えば、特許文献１参照）。
【０００３】
【特許文献１】特開平６−１４４７６３号公報
【発明の開示】
【発明が解決しようとする課題】
【０００４】
従来のマンコンベアの欄干装置においては、マンコンベアの保守点検時に踏板２を取外す時、押え板１５の突出が邪魔となり、踏板２を取外す前に押え板１５を取外さなければならないという問題点があった。また特許文献１に示すようなスカートパネルで構成した場合においても、スカートパネルが外に屈曲して逃げているため、乗客の目から見て意匠的に良くなく、また押え板がスカートパネル、欄干パネルから突出していることに変わりはない。
【０００５】
この発明は、上述のような課題を解決するためになされたもので、押え板を不要として踏板の取外し作業をより容易とし、且つ欄干装置全域に亘って凹凸をなくし意匠的に優れたマンコンベアの欄干装置を提供することを目的とする。
【課題を解決するための手段】
【０００６】
この発明に係るマンコンベアの欄干装置においては、踏板の側面に立設され、マンコンベアの全長に亘って設けられるものにおいて、取付部に設けられ、踏板に隣接したスカートパネルと、スカートパネルの上方に位置し、下端が取付部に押圧・保持される欄干パネルとから構成され、スカートパネルの上端部に、欄干パネルの下端部が入り込む切欠き部及び入り込んだ欄干パネルの下端部を取付部に押圧・保持する押圧部とを備えているものである。
【発明の効果】
【０００７】
この発明により、マンコンベアの踏板の取外し作業が容易となる。
【発明を実施するための最良の形態】
【０００８】
実施の形態１． 
図１はこの発明の実施の形態１におけるマンコンベアの欄干装置を備えたマンコンベアを示す縦断面図、図２は図１のＡ−Ａ断面図である。
図において、１はマンコンベア、２は無端状に連結され、乗客を乗せて移動するマンコンベア１の多数の踏板、３は踏板２の側面に立設され、マンコンベアの全長に亘って設けられた欄干装置である。欄干装置３の上部には欄干パネル４、欄干パネル４の上部に設けられたガードレール５、ガードレール５と摺動し踏板２と同期して移動する手摺６が配設され、また欄干装置３の下部には踏板２の側面に隣接したスカートパネル７が配設されている。ここで欄干装置３の欄干パネル４はステンレス鋼材などの不透明材料等で構成され、これによりマンコンベア１はいわゆる「不透明型」もしくは「パネル型」と呼ばれるものである。
欄干パネル４、及びスカートパネル７の支持構成を説明する。８はマンコンベア１の長手方向全長に延設された上部アングルからなる取付部で、断面がＬ字形状であり、水平な一辺が固定され、立設した他辺が踏板２側を向いて構成されている。ここで上部アングル８の立設した辺の踏板２側にはスカートパネル７上端が係合し、また欄干パネル４の下端が接している。９は上部アングル８の下方に平行に延設され、上部アングル８と同等の形状で構成された下部アングルである。１０はスカートパネル７の下部に所定間隔でスポット溶接され下部アングル９の立設した辺に差し込まれたブラケットである。このブラケット１０によりスカートパネル７の下部は下部アングル９に押付けられている。
スカートパネル７と上部アングル８の係合構成を説明する。１１はスカートパネル７の上部に施工された通し穴、１２は通し穴１１と同位置となるように上部アングル８にネジ立て施工されたネジ穴、１３はこれら通し穴１１及びネジ穴１２に係合するサラネジである。これによりスカートパネル７はサラネジ１３によって上部アングル８に固定されている。これらは従来の構成と同様である。
【０００９】
この発明の特徴とするところは、スカートパネル７及び欄干パネル６の取付構造にある。すなわち、従来の構成よりスカートパネル７を上方に延長させ、スカートパネル７の上端が欄干パネル６下端を押圧・保持させる構成としたものである。またスカートパネル７と欄干パネル４の隙間は無くなり、押え板を不要とできる。
７Ａはスカートパネル７上端の上部アングル８側に長手方向全長に亘り設けられたＬ字の切欠き、７Ｂは切欠き７Ａによりスカートパネル７上端に生じる欄干パネルの押圧部である。欄干パネル４の下端は切欠き部７Ａに入り込み、押圧部７Ｂより上部アングル８に押圧・保持されている。
【００１０】
ここで押圧部７Ｂの先端（スカートパネル７の上端）は丸みがつけられ、また通し穴１１にはサラネジ１３に対応したザグリが設けられ、サラネジ１３の頭が踏板２側に飛び出さない構成としている。これにより押圧部７Ｂの先端、及びサラネジ１３の頭に乗客の衣服が引掛ることを防止するものである。
【００１１】
このように構成されたマンコンベア１の欄干装置３においては、踏板２に隣接して立設されるスカートパネル７は従来のように外方に屈曲して逃げる構成ではなく真直ぐとしたが、表面より突出するものがないので踏板２の取外し作業は容易であり、マンコンベアの点検・整備に要する時間の短縮が図れる。
【００１２】
また、スカートパネル７を真直ぐとし、且つスカートパネル７及び欄干パネル４の表面より突出するものをなくしたので、乗客からの目から見て意匠的にも良くなる。
【００１３】
また、スカートパネル７の上端で欄干パネル４の下端を押さえつけるため、取付け部品が少数で取付作業が容易となる。
【図面の簡単な説明】
【００１４】
【図１】この発明の実施の形態１におけるマンコンベアの欄干装置を備えたマンコンベアを示す縦断面図である。
【図２】図２は図１のＡ−Ａ断面図である。
【図３】従来のマンコンベアの欄干装置を示す断面図である。
【符号の説明】
【００１５】
１  マンコンベア
２  踏板
３  欄干装置
４  欄干パネル
５  ガードレール
６  手摺
７  スカートパネル
７Ａ  切欠き部
７Ｂ  押圧部
８  上部アングル
９  下部アングル
１０  ブラケット
１１、１１Ａ  通し穴
１２、１２Ａ  ネジ穴
１３、１３Ａ  サラネジ
１４  隙間
１５  押え板
【図１】
2007137660.tif 000003
【図２】
2007137660.tif 000004
【図３】
2007137660.tif 000005